(57)【要約】【課題】  電気的衝撃ノイズ等が伝送経路を介して入力装置本体から外部装置に伝達されることを防止することができる入力装置を提供する。【解決手段】  キー群１１が操作されることにより入力される入力情報を電気信号に変換する情報処理部１２を備える入力装置本体１０と、本体側コネクタ部２１と外部装置側コネクタ部２２とを連結する伝送経路２３とを有し、入力情報を入力装置本体１０から外部装置２に伝送する信号伝送経路部２０とを備える入力装置１であって、入力装置本体１０には、情報処理部１１及び本体側コネクタ部１２に電源を供給するための電池を格納する電池格納部１３が形成され、本体側コネクタ部２１は、電気信号を光信号に変換する電気／光変換回路２１ａを有するとともに、外部装置側コネクタ部２２は、光信号を電気信号に変換する光／電気変換回路２２ａを有し、伝送経路は、光信号を伝送する光ケーブル２３であることを特徴とする。【選択図】図１
2010211464.tif 000002
【特許請求の範囲】
【請求項１】
複数のキーを有するキー群と、当該キー群が操作されることにより入力される入力情報を電気信号に変換する情報処理部とを備える入力装置本体と、
前記入力装置本体に接続された本体側コネクタ部と、外部装置に接続可能とする外部装置側コネクタ部と、当該本体側コネクタ部と外部装置側コネクタ部とを連結する伝送経路とを有し、前記入力情報を入力装置本体から外部装置に伝送する信号伝送経路部とを備える入力装置であって、
前記入力装置本体には、前記情報処理部及び本体側コネクタ部に電源を供給するための電池を格納する電池格納部が形成され、
前記本体側コネクタ部は、前記電気信号を光信号に変換する電気／光変換回路を有するとともに、
前記外部装置側コネクタ部は、前記光信号を電気信号に変換する光／電気変換回路を有し、
前記伝送経路は、前記光信号を伝送する光ケーブルであることを特徴とする入力装置。
【請求項２】
前記外部装置は、医療機器を制御するパーソナル・コンピュータであることを特徴とする請求項１に記載の入力装置。
【発明の詳細な説明】
【技術分野】
【０００１】
本発明は、外部装置に入力情報を入力するための入力装置に関し、特に医療機器を制御するためのＰＣ（パーソナル・コンピュータ）等の外部装置に入力情報を入力するためのマウスやキーボード等の入力装置に関する。
【背景技術】
【０００２】
ＰＣ（外部装置）に入力情報を入力するための入力装置として、キーボードやマウスが一般的に使用されている（例えば、特許文献１参照）。
ここで、一般的なマウスの概略構成の一例について説明する。図２は、一般的なマウスとＰＣとの概略構成の一例を示す斜視図である。図３は、一般的なマウスとＰＣとの概略構成の一例を示すブロック図である。
マウス５は、筐体で覆われたマウス本体５０と、マウス本体５０から伸びる信号伝送経路部６０とを備える。マウス本体５０の外面には、左ボタンや右ボタンやホイールやボールを有するキー群１１が配置されており、マウス本体５０の内部には、キー群１１が操作されることにより入力される入力情報を電気信号に変換する情報処理部１２が配置されている。
また、信号伝送経路部６０は、マウス本体５０に接続された本体側コネクタ部６１と、ＰＣ２に接続可能とする外部装置側コネクタ部６２と、本体側コネクタ部６１と外部装置側コネクタ部６２とを連結する電気ケーブル（伝送経路）６３とを有する。電気ケーブル６３は、入力情報から変換された電気信号をマウス本体５０からＰＣ２に伝送することが可能となっているとともに、電源をＰＣ２の電源部２ａからマウス本体５０に供給することが可能となっている。
【０００３】
これにより、操作者は外部装置側コネクタ部６１をＰＣ２のコネクタ部２ｃに接続することによって、ＰＣ２の電源部２ａからマウス本体５０の情報処理部１２に電源を供給するとともに、入力情報から変換された電気信号をマウス本体５０からＰＣ２の制御部２ｂに伝送する。その結果、ＰＣ２の制御部２ｂは、入力情報から変換された電気信号に基づいて、動作を実行させる。
なお、このようなマウス５を様々な外部装置に使用することができるようにするために、外部装置に接続することになる外部装置側コネクタ部６２は、ＵＳＢ（Universal Sirial Bus）規格やＰＳ／２（Personal System 2）規格に準拠して作製されている。
【先行技術文献】
【特許文献】
【０００４】
【特許文献１】特開２００２−２９７３１１号公報
【発明の概要】
【発明が解決しようとする課題】
【０００５】
しかしながら、乾燥した大気中で操作者がマウス５を用いて入力情報をＰＣ２の制御部２ｂに入力していると、ＰＣ２の制御部２ｂがフリーズしてしまうことがあった。この原因として、操作者が帯電していることにより発生した静電気による電気的衝撃ノイズ（例えば、−８ｋＶ〜８ｋＶ程度のノイズ）が電気ケーブル６３を介してＰＣ２に伝達されることで、ＰＣ２の制御部２ｂが障害を受けることが挙げられる。
医療機器を制御するＰＣ２の制御部２ｂに入力情報を入力する場合、電気的衝撃ノイズが電気ケーブル６３を介してＰＣ２に伝達されることで、ＰＣ２の制御部２ｂがフリーズすると、治療・診断が中断してしまうことになり、最悪の場合、患者に危険を及ぼす恐れがある。そこで、医療機器を制御するＰＣ２の制御部２ｂに入力情報を入力するための入力装置においては、性能・安全性を規定した国際規格の試験条件で試験を行うことにより、ＰＣ２の制御部２ｂがフリーズしないことを確認することが義務付けられている。しかし、ＰＣ２の制御部２ｂがフリーズすることは患者に危険を及ぼす恐れがあるため、試験条件をもっと引き上げるように、更なる性能・安全性を求める国際的な動向がある。
【０００６】
また、電気ケーブル６３を介さず、無線により入力情報をＰＣ２の制御部２ｂに入力する無線式の入力装置があるが、医療機器が発する電波に関する規制（ＥＭＣ規制）があるため、医療機器を制御するＰＣ２には、無線式の入力装置を使用することは控えられているのが現状である。
そこで、本発明は、電気的衝撃ノイズ等が伝送経路を介して入力装置本体から外部装置に伝達されることを防止することができる入力装置を提供することを目的とする。
【課題を解決するための手段】
【０００７】
上記課題を解決するためになされた本発明の入力装置は、複数のキーを有するキー群と、当該キー群が操作されることにより入力される入力情報を電気信号に変換する情報処理部とを備える入力装置本体と、前記入力装置本体に接続された本体側コネクタ部と、外部装置に接続可能とする外部装置側コネクタ部と、当該本体側コネクタ部と外部装置側コネクタ部とを連結する伝送経路とを有し、前記入力情報を入力装置本体から外部装置に伝送する信号伝送経路部とを備える入力装置であって、前記入力装置本体には、前記情報処理部及び本体側コネクタ部に電源を供給するための電池を格納する電池格納部が形成され、前記本体側コネクタ部は、前記電気信号を光信号に変換する電気／光変換回路を有するとともに、前記外部装置側コネクタ部は、前記光信号を電気信号に変換する光／電気変換回路を有し、前記伝送経路は、前記光信号を伝送する光ケーブルであるようにしている。
【０００８】
本発明の入力装置によれば、伝送経路は光ケーブルであるので、入力装置本体と外部装置との間に導電体がなくなるので、電気的衝撃ノイズ等が入力装置本体から外部装置へ伝達することを防止することができる。
しかし、入力装置本体と外部装置とを光ケーブルで連結しているので、電気的衝撃ノイズ等が入力装置本体から外部装置へ伝達することを防止することができる代わりに、入力情報が変換された電気信号も入力装置本体から外部装置へ伝達することができなくなる。そこで、本体側コネクタ部は、電気信号を光信号に変換する電気／光変換回路（Ｅ／Ｏ変換回路）を有するとともに、外部装置側コネクタ部は、光信号を電気信号に変換する光／電気変換回路（Ｏ／Ｅ変換回路）を有する。これにより、電気信号が変換された光信号を光ケーブルを介して入力装置本体から外部装置へ伝達することになる。
また、入力装置本体と外部装置とを光ケーブルで連結しているので、外部装置から情報処理部と本体側コネクタ部とに電源を供給することができなくなる。そこで、入力装置本体には、電池を格納する電池格納部が形成される。これにより、電池から情報処理部と本体側コネクタ部とに電源を供給することになる。
【発明の効果】
【０００９】
以上のように、本発明の入力装置によれば、入力装置本体と外部装置とを連結する伝送経路は光ケーブルであるので、電気的衝撃ノイズ等が伝送経路を介して入力装置本体から外部装置に伝達されることを防止することができる。
【００１０】
（他の課題を解決するための手段および効果）
また、上記の発明において、前記外部装置は、医療機器を制御するパーソナル・コンピュータであるようにしてもよい。
【図面の簡単な説明】
【００１１】
【図１】本発明の一実施形態に係るマウスとＰＣと医療機器との概略構成の一例を示すブロック図である。
【図２】従来のマウスとＰＣとの概略構成の一例を示す斜視図である。
【図３】従来のマウスとＰＣとの概略構成の一例を示すブロック図である。
【発明を実施するための形態】
【００１２】
以下、本発明の実施形態について図面を用いて説明する。なお、本発明は、以下に説明するような実施形態に限定されるものではなく、本発明の趣旨を逸脱しない範囲で種々の態様が含まれることはいうまでもない。
【００１３】
図１は、本発明の一実施形態に係るマウスとＰＣ（外部装置）と医療機器との概略構成の一例を示すブロック図である。なお、本実施形態のマウス１は、医療機器３を制御するＰＣ２に入力情報を入力するものである。
マウス１は、筐体で覆われたマウス本体１０と、マウス本体１０から伸びる信号伝送経路部２０とを備える。
マウス本体１０の外面には、左ボタンや右ボタンやホイールやボールを有するキー群１１が配置されている。また、マウス本体１０の内部には、キー群１１が操作されることにより入力される入力情報を電気信号に変換する情報処理部１２が配置されている。
さらに、マウス本体１０には、電池を格納する電池格納部１３が形成されている。これにより、電池から情報処理部１２と本体側コネクタ部２１とに電源を供給することができるようになっている。
【００１４】
信号伝送経路部２０は、本体側コネクタ部２１と、ＰＣ２に接続可能とする外部装置側コネクタ部２２と、本体側コネクタ部２１と外部装置側コネクタ部２２とを連結する光ケーブル（伝送経路）２３とを有する。
光ケーブル２３は、本体側コネクタ部２１と外部装置側コネクタ部２２とで光信号を伝送することができるが、電気信号を伝送することはできない。
本体側コネクタ部２１の一端部は、マウス本体１０に接続されているとともに、本体側コネクタ部２１の他端部は、光ケーブル２３に接続されている。また、本体側コネクタ部２１は、電気信号を光信号に変換する電気／光変換回路（Ｅ／Ｏ変換回路）２１ａを有する。これにより、マウス本体１０からの電気信号を電気／光変換回路２１ａで光信号に変換し、変換した光信号を光ケーブル２３に伝送することができるようになっている。
【００１５】
外部装置側コネクタ部２２の一端部は、光ケーブル２３に接続されているとともに、外部装置側コネクタ部２２の他端部は、ＰＣ２に接続可能となるように形成されている。また、外部装置側コネクタ部２２は、光信号を電気信号に変換する光／電気変換回路（Ｏ／Ｅ変換回路）２２ａを有する。これにより、光ケーブル２３からの光信号を光／電気変換回路２２ａで電気信号に変換し、変換した電気信号をＰＣ２に伝送することができるようになっている。
なお、外部装置側コネクタ部２２には、ＰＣ２の電源部２ａから電源が供給されるようになっている。
【００１６】
ＰＣ２は、医療機器３を制御する制御部２ｂと、制御部２ｂ及び外部装置側コネクタ部２２に電源を供給する電源部２ａと、外部装置側コネクタ部２２に接続可能となるように形成されているコネクタ部２ｃとを備える。
制御部２ｂは、入力情報から変換された電気信号に基づいて、医療機器３を制御するものである。また、コネクタ部２ｃは、様々な入力装置を使用することができるようにするために、ＵＳＢ規格やＰＳ／２規格に準拠して作製されている。
【００１７】
次に、マウス１を用いて医療機器３を制御する制御動作について説明する。
まず、操作者が電池格納部１３に電池を格納することによって、情報処理部１２と本体側コネクタ部２１とに電源が供給される。一方、操作者が外部装置側コネクタ部２１をＰＣ２のコネクタ部２ｃに接続することによって、外部装側コネクタ部２１に電源が供給される。
そして、操作者がキー群１１を操作することにより、マウス本体１０に入力情報を入力する。このようにキー群１１によって入力された入力情報は、まず、情報処理部１２で電気信号に変換される。次に、電気信号は本体側コネクタ部２１の電気／光変換回路２１ａで光信号に変換される。次に、光信号は本体側コネクタ部２１から外部装置側コネクタ部２２に伝達する。このとき、電気信号や電気的衝撃ノイズ等は本体側コネクタ部２１から外部装置側コネクタ部２２に伝達しない。次に、光信号は外部装置側コネクタ部２２の光／電気変換回路２２ａで電気信号に変換される。次に、電気信号はＰＣ２の制御部２ｂに入力される。その結果、ＰＣ２の制御部２ｂは、電気信号に基づいて医療機器３を制御する。
【００１８】
以上のように、マウス１によれば、マウス本体１０とＰＣ２とを連結する伝送経路は光ケーブル２３であるので、電気的衝撃ノイズ等がマウス本体１０からＰＣ２に伝達されることを防止することができる。
【００１９】
（他の実施形態）
（１）上述した実施形態では、入力装置としてマウス１とする構成としたが、キーボードとするような構成としてもよい。
（２）上述したマウス１の電池格納部１３において格納される電池は、充電方式であってもよく、充電方式でなくてもよい。
【産業上の利用可能性】
【００２０】
本発明は、例えば、医療機器を制御するためのＰＣに入力情報を入力するためのマウスやキーボード等に利用することができる。
【符号の説明】
【００２１】
１  マウス（入力装置）
２  ＰＣ（外部装置）
１０  マウス本体（入力装置本体）
１１  キー群
１２  情報処理部
１３  電池格納部
２１  本体側コネクタ部
２１ａ  電気／光変換回路
２２  外部装置側コネクタ部
２２ａ  光／電気変換回路
２３  光ケーブル（伝送経路）
【図１】
2010211464.tif 000003
【図３】
2010211464.tif 000004
【図２】
2010211464.tif 000005